(57)【要約】  【課題】  建物に組立て式で固定でき、しかも、斬新な構造の、備蓄倉庫などのプレハブ式建物の間仕切り装置を提供する。  【解決手段】  間仕切りパネル３の上端部をプレハブ式建物に張設した支持杆７，８に重ね合わせ、該支持杆７，８に設けた透孔９を通じて前記上端部に設けたねじ穴１３に接続ボルト１４を螺合、締付ける。そして、前記間仕切りパネル３の下端は、該下端に突設した脚杆１２を前記プレハブ式建物の床材１ｄに形成した透孔１０に嵌挿する。【選択図】    図４
2009121106.tif 000002
【特許請求の範囲】
【請求項１】
間仕切りパネルの上端部を備蓄倉庫などのプレハブ式建物に張設した支持杆に重ね合わせ、該支持杆に設けた透孔を通じて前記上端部に設けたねじ穴に接続ボルトを螺合、締付けると共に、前記間仕切りパネルの下端に突設した脚杆を前記プレハブ式建物の床材に形成した透孔に嵌挿した、間仕切り装置。
【発明の詳細な説明】
【技術分野】
【０００１】
本発明は、例えば、震災時に、プレハブ式の備蓄倉庫を小部屋に区画してトイレに転用するに際して適用する、備蓄倉庫などのプレハブ式簡易建物の間仕切り装置に関するものである。
【背景技術】
【０００２】
天井面と床面にそれぞれ一対のＬ形金物の一片をビスで固着し、他片間で構成される間隙内に間仕切りパネルの上下の端部を係合するようにした構造のものがある（例えば、特許文献１）。
【０００３】
【特許文献１】特開２０００−１２９８２９号公報
【発明の開示】
【発明が解決しようとする課題】
【０００４】
前記従来例は、間仕切りパネルを、上下の両端部においてＬ形金物で構成する間隙に単に係合させて支持させるようにしているので、外力を加えると、間仕切りパネルは幅方向に容易に動き、騒音を発生し、また、間隙の長手方向に摺動する虞もあり、いずれにしてもこれらの動きを規制する手段を別途施す必要がある。
【０００５】
本発明は、このような欠点のない斬新な構造の、備蓄倉庫などのプレハブ式建物の間仕切り装置を提供することを目的として創案したものである。
【課題を解決するための手段】
【０００６】
間仕切りパネルの上端部を備蓄倉庫などのプレハブ式建物に張設した支持杆に重ね合わせ、該支持杆に設けた透孔を通じて前記上端部に設けたねじ穴に接続ボルトを螺合、締付けると共に、前記間仕切りパネルの下端に突設した脚杆を前記プレハブ式建物の床材に形成した透孔に嵌挿した構成とするのである。
【発明の効果】
【０００７】
本発明によれば、床材に設けた透孔に脚杆を嵌挿させ、上端部側は支持材に重ね合わせるだけで、間仕切りパネルを仮止め状態に置くことができ、従って、間仕切り形成作業を簡単に行え、パネル施工後は、間仕切りパネルは建屋側に固着され、外力の負荷による動きによる騒音の発生のない間仕切り状態を提供できる。また、パネル施工前は屋内に無用の突出物がなく、従って、物品を、備蓄する備蓄倉庫に適用するに好適である。
【実施例】
【０００８】
図面は本発明に係る備蓄倉庫などのプレハブ式建物の間仕切り装置の一実施例を示し、図１は本発明を適用したトイレの略示平面図、図２は図１の一部拡大図、図３は図１の一部欠截拡大図、図４は図１のａ−ａ線拡大断面図である。
【０００９】
実施例は、震災に備えて物品を備蓄しておくために用いる備蓄倉庫Ａ´を、震災時に集合トイレＡに転用するに際し、備蓄倉庫Ａ´の屋（庫）内を複数のトイレ室４に仕切るために本発明を適用したもので、前記備蓄倉庫Ａ´は、前壁１ａ、後壁１ｂ、左右の側壁１ｃ，１ｃおよび床材１ｄ並びに図示省略した屋根材を互いに組付けて構成し、前壁１ａ部に装置した開閉扉２を開放することにより出入して、適宜の物品を収納、備蓄し、震災に備えるために用いるのである。
【００１０】
そして、震災時には、間仕切りパネル３によって前記前壁１ａ等で取り囲まれた空間域を複数個の前記トイレ室４，…に分ち、各室４に便器５および該便器５に連通させた排水ホース６を装置し、ホース６の先端を前記後壁１ｂを通じ外部（屋外）に導出し、前記集合トイレＡを構成するようにしたものである。
【００１１】
この集合トイレＡのトイレ室４を構成する前記パネル３の設置位置に、両端を前記側壁１ｃ，１ｃに図示省略した止着手段で止着した横支持杆７と、該横支持杆７と前記後壁１ｂに端部を止着して、側壁１ｃ，１ｃ間に複数本並べた縦支持杆８を張設してパネル支持枠７８と成し、該パネル支持枠７８の各支持杆７，８は、水平部片７ａ，８ａと垂直部片７ｂ，８ｂとで成る断面Ｌ形の形鋼で成り、垂直部片７ｂ，８ｂの適所に設けた横長の長孔９を設けたものである。
【００１２】
また、これら支持杆７，８（の水平部片７ａ，８ａ）の直下位置の前記床材１ｄ部の適所には透孔１０を設け、前記間仕切りパネル３の下端に突設した脚杆１２を嵌挿するようにしてある。
【００１３】
間仕切りパネル３は上端部側に支持杆７，８の前記垂直部片７ｂ，８ｂに設けた長孔９に対応する位置に存するようにしてナット材１１を埋め込んでねじ穴１３を設け、下端には前記透孔１０（床材１ｂに設けた）に対応するように前記脚杆１２を設けたものである。
【００１４】
横支持杆７と該支持杆７の長手方向に並設した複数本の縦支持杆８，…で成り、端部を前記の通り、後壁１ｂと側壁１ｃ，１ｃとに止着して倉庫Ａ´内に張設したパネル支持枠７８の縦支持杆８に間仕切りパネル３を組付けるには、パネル３に設けた脚杆１２を床材１ｂに設けた透孔１０に嵌挿してパネル３を起立させ、縦支持杆８の垂直部片８ｂに設けた長孔９を通じて摘み付の接続ボルト１４の先端をねじ穴１３に螺合、締付けるようにすることにより行うことができ、間仕切りパネル３は前記支持杆８の直下に組付けられて備蓄倉庫Ａ´を区画する。
【００１５】
なお、パネル支持枠７８の横支持枠７部には、トイレとしてのドア１７を装置し、該ドア１７以外の部分には前記間仕切りパネル３と同様の間仕切りパネル３´を配置して各トイレ室を密室状態におけるようにしてあるが、本件発明の説明（実施例の）としては前記縦支持杆８と間仕切りパネル３の関係を前記の通り述べれば充分なのでその説明は省略する（間仕切りパネル３を縦支持杆８と床材１ｂに組付けたと同様の構成で、間仕切りパネル３´は横支持杆７に組付けてあることは勿論である）。
【００１６】
なお、横支持杆７と縦支持杆８は図示省略してあるが、互いにビス止めしてある。
【００１７】
また、縦支持杆８の水平部片８ａの末端には立上り部片８ａ´を設け、該立上り部片８ａ´は後壁１ｂとビス止め（図示省略）してある。
【００１８】
間仕切りパネル３の前記後壁１ｂ側の端末は、後壁１ｂに一片１９ａをボルト止め１８した断面Ｌ形のコーナ部材１９の他片１９ｂ，１９ｂ間に係合して組付け状態の補強としてある。
【図面の簡単な説明】
【００１９】
【図１】本発明を適用したトイレの略示平面図。
【図２】図１の一部拡大図。
【図３】図１の一部欠截拡大図。
【図４】図１のａ−ａ線拡大断面図。
【符号の説明】
【００２０】
１ｄ        床材
３          間仕切りパネル
７          横支持杆
８          縦支持杆
９          長孔
１０        透孔
１２        脚杆
１３        ねじ穴
１４        接続ボルト
【図１】
2009121106.tif 000003
【図２】
2009121106.tif 000004
【図３】
2009121106.tif 000005
【図４】
2009121106.tif 000006